(57)【特許請求の範囲】
【請求項１】
ヘッド、シャフト及びグリップを備え、
上記グリップの最大太さ部が、バット端から３ｍｍ以上８ｍｍ以下の範囲に存在し、
上記最大太さ部のうち最もチップ側の位置が基準位置Ｋとされ、
上記基準位置Ｋからチップ側に２０ｍｍ離れた位置が位置Ａとされ、
上記基準位置Ｋからチップ側に３０ｍｍ離れた位置が位置Ｂとされ、
上記基準位置Ｋからチップ側に５０ｍｍ離れた位置が位置Ｃとされ、
上記基準位置Ｋからチップ側に２００ｍｍ離れた位置が位置Ｄとされたとき、
上記基準位置Ｋと上記位置Ａとの間のテーパー率Ｔ１が０．２５５以上０．２７０以下であり、
上記位置Ｂと上記位置Ｃとの間のテーパー率Ｔ２が０．０４５以上０．０６０以下であり、
上記位置Ｃと上記位置Ｄとの間のテーパー率Ｔ３が０．０１５以上０．０３５以下であるゴルフクラブ。
【請求項２】
上記テーパー率の比Ｔ１／Ｔ２、Ｔ１／Ｔ３、及び、Ｔ２／Ｔ３が、それぞれ、
４.５０ ≦ Ｔ１／Ｔ２ ≦  ５.７０
７.７０ ≦ Ｔ１／Ｔ３ ≦１７.００
１.７０ ≦ Ｔ２／Ｔ３ ≦  ３.００
の範囲である請求項１に記載のゴルフクラブ。
【請求項３】
上記グリップの最大太さ部が、バット端から３ｍｍ以上８ｍｍ以下の範囲に存在し、
上記最大太さ部のうち最もチップ側の位置が基準位置Ｋとされ、
上記基準位置Ｋからチップ側に２０ｍｍ離れた位置が位置Ａとされ、
上記基準位置Ｋからチップ側に３０ｍｍ離れた位置が位置Ｂとされ、
上記基準位置Ｋからチップ側に５０ｍｍ離れた位置が位置Ｃとされ、
上記基準位置Ｋからチップ側に２００ｍｍ離れた位置が位置Ｄとされたとき、
上記基準位置Ｋと上記位置Ａとの間のテーパー率Ｔ１が０．２５５以上０．２７０以下であり、
上記位置Ｂと上記位置Ｃとの間のテーパー率Ｔ２が０．０４５以上０．０６０以下であり、
上記位置Ｃと上記位置Ｄとの間のテーパー率Ｔ３が０．０１５以上０．０３５以下であるゴルフクラブ用グリップ。
【請求項４】
上記テーパー率の比Ｔ１／Ｔ２、Ｔ１／Ｔ３、及び、Ｔ２／Ｔ３が、それぞれ、
４.５０ ≦ Ｔ１／Ｔ２ ≦  ５.７０
７.７０ ≦ Ｔ１／Ｔ３ ≦１７.００
１.７０ ≦ Ｔ２／Ｔ３ ≦  ３.００
の範囲である請求項３に記載のゴルフクラブ用グリップ。
【発明の詳細な説明】
【技術分野】
【０００１】
本発明は、ゴルフクラブ及びゴルフクラブ用グリップに関する。
【背景技術】
【０００２】
ゴルフクラブには、グリップが装着されている。グリップには、握りやすさや滑りにくさが要求される。
【０００３】
グリップの外径は、通常、バット側に行くほど太くされる。バット側とは、グリップエンド側を意味し、ゴルフクラブにおける後端側を意味する。一方、チップ側とは、ゴルフクラブにおける先端側を意味する。
【０００４】
特開平８−２７６０４１号公報は、グリップの所定位置におけるテーパー角を工夫することにより、汗や雨が付着した場合であっても滑りにくいグリップを開示する。
【特許文献１】特開平８−２７６０４１号公報
【発明の開示】
【発明が解決しようとする課題】
【０００５】
本発明者は、より優れたグリップ形状について検討を行った。その結果、従来にない形状のグリップにより、握りやすさや滑りにくさが改善しうることを見いだした。本発明者は、非力なゴルファーにとって特に好適なグリップの形状を見いだした。
【０００６】
本発明の目的は、握りやすく、ゴルフクラブの振りやすさに寄与しうるゴルフクラブ用グリップの提供にある。
【課題を解決するための手段】
【０００７】
本発明に係るゴルフクラブは、 ヘッド、シャフト及びグリップを備えている。上記グリップの最大太さ部は、バット端から３ｍｍ以上８ｍｍ以下の範囲に存在する。上記最大太さ部のうち最もチップ側の位置が基準位置Ｋとされる。上記基準位置Ｋからチップ側に２０ｍｍ離れた位置が位置Ａとされる。上記基準位置Ｋからチップ側に３０ｍｍ離れた位置が位置Ｂとされる。上記基準位置Ｋからチップ側に５０ｍｍ離れた位置が位置Ｃとされる。上記基準位置Ｋからチップ側に２００ｍｍ離れた位置が位置Ｄとされる。上記基準位置Ｋと上記位置Ａとの間のテーパー率Ｔ１が０．２５５以上０．２７０以下である。上記位置Ｂと上記位置Ｃとの間のテーパー率Ｔ２が０．０４５以上０．０６０以下である。上記位置Ｃと上記位置Ｄとの間のテーパー率Ｔ３が０．０１５以上０．０３５以下である。
【０００８】
本発明に係るゴルフクラブ用グリップは、上記グリップの最大太さ部が、バット端から３ｍｍ以上８ｍｍ以下の範囲に存在する。上記最大太さ部のうち最もチップ側の位置が基準位置Ｋとされ、上記基準位置Ｋからチップ側に２０ｍｍ離れた位置が位置Ａとされ、上記基準位置Ｋからチップ側に３０ｍｍ離れた位置が位置Ｂとされ、上記基準位置Ｋからチップ側に５０ｍｍ離れた位置が位置Ｃとされ、上記基準位置Ｋからチップ側に２００ｍｍ離れた位置が位置Ｄとされる。このとき、上記基準位置Ｋと上記位置Ａとの間のテーパー率Ｔ１が０．２５５以上０．２７０以下である。また、上記位置Ｂと上記位置Ｃとの間のテーパー率Ｔ２が０．０４５以上０．０６０以下である。上記位置Ｃと上記位置Ｄとの間のテーパー率Ｔ３が０．０１５以上０．０３５以下である。
【発明の効果】
【０００９】
従来にない形状とされることにより、握りやすさが向上しうる。この握りやすさにより、振りやすいゴルフクラブが達成されうる。
【発明を実施するための最良の形態】
【００１０】
以下、適宜図面が参照されつつ、好ましい実施形態に基づいて本発明が詳細に説明される。
【００１１】
図１は、本発明の一実施形態に係るゴルフクラブ２の全体図である。ゴルフクラブ２は、ゴルフクラブヘッド４、ゴルフクラブシャフト６及びゴルフクラブ用グリップ８を有する。ヘッド４は、シャフト６の一端部に取り付けられている。グリップ８は、シャフト６の他端部に取り付けられている。
【００１２】
ヘッド４は、限定されない。ヘッド４として、ウッド型ヘッド、アイアン型ヘッド及びパターヘッドが例示される。シャフト６は、限定されない。シャフト６として、いわゆるスチールシャフト及びいわゆるカーボンシャフトが例示される。
【００１３】
図２は、図１におけるグリップ８部分の拡大図である。なお、グリップ８の外面には、溝が形成されているが、図１及び図２においては、この溝の記載が省略されている。
【００１４】
図示しないが、シャフト６は円筒状である。図示しないが、グリップ８は、略円筒状である。グリップ８の外面は、略円周面状の曲面である。
【００１５】
図示しないが、グリップ８は、いわゆるバックラインを有している。よって、シャフト６が挿入された後のグリップ８において、その外面８ａの断面線Ｄ８は真円では無い。なおグリップ８は、いわゆるバックラインを有していなくても良く、この場合、断面線Ｄ８は、寸法誤差や溝等を無視すれば、通常、円形である。なお、図示しないが、この断面線Ｄ８は、グリップ外面８ａと、シャフト軸線（グリップ軸線）に対して垂直な平面との交線である。
【００１６】
本願では、グリップにおける位置として、基準位置Ｋ、位置Ａ、位置Ｂ、位置Ｃ及び位置Ｄが考慮される。これらの位置は、いずれも、シャフト軸方向における位置を意味する。本願においては、特に説明しない限り、「位置」とは軸方向における位置を意味し、「距離」とは軸方向における距離を意味する。また、特に説明しない限り、ゴルフクラブにおける「軸方向」とは、シャフトの中心軸線の方向を意味し、グリップにおける「軸方向」とは、グリップの中心軸線の方向を意味する。
【００１７】
本願では、シャフト軸方向の各位置におけるグリップ太さが考慮される。グリップ外面８ａの断面線Ｄ８が円形である場合、グリップ太さは、断面線Ｄ８の直径に等しい。グリップ外面８ａの断面線Ｄ８が円形でない場合、グリップ太さは、グリップ外形幅ｔ８の最大値と、グリップ外形幅ｔ８の最小値との平均値とされる。ただし、グリップ外形幅ｔ８は、上記断面線Ｄ８に接する第一の直線Ｌ１と、上記断面線Ｄ８に接する第二の直線Ｌ２との距離（最短距離）を意味する。ただし、この直線Ｌ２は、直線Ｌ１に平行であり、且つ、この直線Ｌ１とは異なる点において断面線Ｄ８に接している。グリップ太さは、通常、グリップ径又はグリップの外径などと称される。本願では、グリップの断面形状が必ずしも円形でないことを考慮して、「グリップ太さ」との用語を用いる。
【００１８】
本願では、グリップ８の最大太さ部８ｆが定義される。最大太さ部８ｆは、グリップ太さが最大の部分である。最大太さ部８ｆは、軸方向に幅を有していてもよく、この場合最大太さ部８ｆは、グリップ太さが一定の部分を形成しうる。最大太さ部８ｆが軸方向に幅を有していない場合、最大太さ部８ｆは、円周状に延びる稜線を形成しうる。
【００１９】
グリップ８において、最大太さ部８ｆは、バット端Ｂｔから３ｍｍ以上８ｍｍ以下の範囲Ａ１（図示省略）に存在する。この「３ｍｍ以上８ｍｍ以下」は、軸方向距離である。なお最大太さ部８ｆは、上記範囲Ａ１を外れる軸方向位置にも存在してもよい。ただし、後述されるテーパー率を好ましい範囲とする観点から、最大太さ部８ｆは、上記範囲Ａ１よりもチップ側に存在しないのが好ましい。
【００２０】
図２が示すように、本実施形態のグリップ８では、グリップエンドが凸曲面となっており、この凸曲面の頂点付近がバット端Ｂｔとされている。
【００２１】
本願では、軸方向におけるグリップ８の各位置が定義される。即ち本願では、軸方向位置として、基準位置Ｋ、位置Ａ、位置Ｂ、位置Ｃ及び位置Ｄが定義される。図２が示すように、上記最大太さ部８ｆのうち最もチップ側の位置が基準位置Ｋである。上記基準位置Ｋからチップ側に２０ｍｍ離れた位置が位置Ａとされる。上記基準位置Ｋからチップ側に３０ｍｍ離れた位置が位置Ｂとされる。上記基準位置Ｋからチップ側に５０ｍｍ離れた位置が位置Ｃとされる。上記基準位置Ｋからチップ側に２００ｍｍ離れた位置が位置Ｄとされる。
【００２２】
また本願において、基準位置Ｋでのグリップ太さ（ｍｍ）が、ｋ１とされる。位置Ａでのグリップ太さ（ｍｍ）が、ａ１とされる。位置Ｂでのグリップ太さ（ｍｍ）が、ｂ１とされる。位置Ｃでのグリップ太さ（ｍｍ）が、ｃ１とされる。位置Ｄでのグリップ太さ（ｍｍ）が、ｄ１とされる。太さａ１は、太さｂ１より大きい。太さｂ１は、太さｃ１より大きい。太さｃ１は、太さｄ１より大きい。グリップ８では、次の関係式が成立している。
ｋ１＞ａ１＞ｂ１＞ｃ１＞ｄ１
【００２３】
なお、握りやすさの観点から、各位置におけるグリップ太さの好ましい範囲は、次の通りである。グリップ太さｋ１（下限）は、２７ｍｍ以上が好ましく、２８ｍｍ以上がより好ましく、２９ｍｍ以上がより好ましい。グリップ太さｋ１（上限）は、３２ｍｍ以下が好ましく、３１ｍｍ以下がより好ましく、３０ｍｍ以下がより好ましい。グリップ太さａ１（下限）は、２２ｍｍ以上が好ましく、２３ｍｍ以上がより好ましく、２４ｍｍ以上がより好ましい。グリップ太さａ１（上限）は、２７ｍｍ以下が好ましく、２６ｍｍ以下がより好ましく、２５ｍｍ以下がより好ましい。グリップ太さｂ１（下限）は、２１ｍｍ以上が好ましく、２２ｍｍ以上がより好ましく、２３ｍｍ以上がより好ましい。グリップ太さｂ１（上限）は、２６ｍｍ以下が好ましく、２５ｍｍ以下がより好ましく、２４ｍｍ以下がより好ましい。グリップ太さｃ１（下限）は、２０ｍｍ以上が好ましく、２１ｍｍ以上がより好ましく、２２ｍｍ以上がより好ましい。グリップ太さｃ１（上限）は、２５ｍｍ以下が好ましく、２４ｍｍ以下がより好ましく、２３ｍｍ以下がより好ましい。グリップ太さｄ１（下限）は、１６ｍｍ以上が好ましく、１７ｍｍ以上がより好ましく、１８．５ｍｍ以上がより好ましい。グリップ太さｄ１（上限）は、２２ｍｍ以下が好ましく、２１ｍｍ以下がより好ましく、１９．５ｍｍ以下がより好ましい。
【００２４】
握りやすさの観点から、基準位置Ｋから位置Ａまでの範囲において、グリップ太さは、チップ側（ヘッド側）にいくほど徐々に又は段階的に小さくなるのが好ましい。図２が示すように、本実施形態のグリップ８では、基準位置Ｋから位置Ａまでの範囲において、グリップ太さは、チップ側（ヘッド側）にいくほど徐々に小さくされている。この構成により、握りやすさが更に向上している。
【００２５】
基準位置Ｋから位置Ａまでの範囲を軸方向に５等分し、この５等分された各範囲のテーパー率が、バット側から順にＴ１１、Ｔ１２、Ｔ１３、Ｔ１４及びＴ１５とされたとき、次の関係式が成立している。この関係により、握りやすさが更に向上している。
Ｔ１１＞Ｔ１２＞Ｔ１３＞Ｔ１４＞Ｔ１５
【００２６】
なお、後述されるように、ある範囲におけるテーパー率とは、その範囲のバット側の端のグリップ太さから、その範囲のチップ側の端のグリップ太さを引いた差を計算し、この差を、その範囲の軸方向長さで除することにより得られる。
【００２７】
握りやすさの観点から、位置Ｂから位置Ｃまでの範囲において、グリップ太さは、チップ側（ヘッド側）にいくほど徐々に又は段階的に小さくなるのが好ましい。図２が示すように、本実施形態のグリップ８では、位置Ｂから位置Ｃまでの範囲において、グリップ太さは、チップ側（ヘッド側）にいくほど徐々に小さくされている。この構成により、握りやすさが更に向上している。
【００２８】
位置Ｂから位置Ｃまでの範囲を軸方向に５等分し、この５等分された各範囲のテーパー率が、バット側から順にＴ２１、Ｔ２２、Ｔ２３、Ｔ２４及びＴ２５とされたとき、次の関係式が成立している。この関係により、握りやすさが更に向上している。
Ｔ２１＞Ｔ２２＞Ｔ２３＞Ｔ２４＞Ｔ２５
【００２９】
握りやすさの観点から、位置Ｃから位置Ｄまでの範囲において、グリップ太さは、チップ側（ヘッド側）にいくほど徐々に又は段階的に小さくなるのが好ましい。図２が示すように、本実施形態のグリップ８では、位置Ｃから位置Ｄまでの範囲において、グリップ太さは、チップ側（ヘッド側）にいくほど徐々に小さくされている。この構成により、握りやすさが更に向上している。
【００３０】
位置Ｃから位置Ｄまでの範囲を軸方向に５等分し、この５等分された各範囲のテーパー率が、バット側から順にＴ３１、Ｔ３２、Ｔ３３、Ｔ３４及びＴ３５とされたとき、次の関係式が成立している。この関係により、握りやすさが更に向上している。
Ｔ３１＞Ｔ３２＞Ｔ３３＞Ｔ３４＞Ｔ３５
【００３１】
位置Ａから位置Ｂまでの範囲において、グリップ太さは、チップ側（ヘッド側）にいくほど徐々に又は段階的に小さくなるのが好ましい。図２が示すように、本実施形態のグリップ８では、位置Ａから位置Ｂまでの範囲において、グリップ太さは、チップ側（ヘッド側）にいくほど徐々に小さくされている。この構成により、握りやすさが更に向上している。
【００３２】
位置Ａから位置Ｂまでの範囲を軸方向に５等分し、この５等分された各範囲のテーパー率が、バット側から順にＴ４１、Ｔ４２、Ｔ４３、Ｔ４４及びＴ４５とされたとき、次の関係式が成立している。この関係により、握りやすさが更に向上している。
Ｔ４１＞Ｔ４２＞Ｔ４３＞Ｔ４４＞Ｔ４５
【００３３】
位置Ｄからチップ端Ｔｐまでの範囲は、通常、主として握られる範囲からは外れているが、クラブを短く持つ場合等には、主として握られる範囲となりうる。握りやすさの観点から、位置Ｄからチップ端Ｔｐまでの範囲において、グリップ太さは、一定となっているか、又は、チップ側（ヘッド側）にいくほど徐々に小さくなっているのが好ましい。
【００３４】
本発明では、各位置におけるテーパー率が考慮される。上記基準位置Ｋと上記位置Ａとの間のテーパー率Ｔ１は、次の計算式により算出される。
Ｔ１＝（ｋ１−ａ１）／２０
【００３５】
上記位置Ｂと上記位置Ｃとの間のテーパー率Ｔ２は、次の計算式により算出される。
Ｔ２＝（ｂ１−ｃ１）／２０
【００３６】
上記位置Ｃと上記位置Ｄとの間のテーパー率Ｔ３は、次の計算式により算出される。
Ｔ３＝（ｃ１−ｄ１）／１５０
【００３７】
上記位置Ａと上記位置Ｂとの間のテーパー率Ｔ４は、次の計算式により算出される。
Ｔ４＝（ａ１−ｂ１）／１０
【００３８】
上記位置Ｄとチップ端Ｔｐとの間のテーパー率Ｔ５は、次の計算式により算出される。
Ｔ５＝（ｄ１−ｅ１）／Ｘ
ただし、ｅ１はチップ端Ｔｐにおけるグリップ太さであり、Ｘは、位置Ｄからチップ端Ｔｐまでの軸方向長さである。
【００３９】
握りやすさの観点から、テーパー率Ｔ１は、０．２５５以上が好ましく、０．２６０以上がより好ましい。握りやすさの観点から、テーパー率Ｔ１は、０．２７０以下が好ましい。
【００４０】
握りやすさの観点から、テーパー率Ｔ２は、０．０４５以上が好ましく、０．０５０以上がより好ましい。握りやすさの観点から、テーパー率Ｔ２は、０．０６０以下が好ましく、０．０５５以下がより好ましい。
【００４１】
握りやすさの観点から、テーパー率Ｔ３は、０．０１５以上が好ましく、０．０２０以上がより好ましい。握りやすさの観点から、テーパー率Ｔ３は、０．０３５以下が好ましく、０．０３０以下がより好ましい。
【００４２】
握りやすさの観点から、テーパー率Ｔ４は、テーパー率Ｔ１以下であり且つテーパー率Ｔ２以上であるのが好ましい。握りやすさの観点から、より好ましくは、テーパー率Ｔ４は、テーパー率Ｔ１より小さく且つテーパー率Ｔ２より大きいのがよい。
【００４３】
握りやすさの観点から、テーパー率Ｔ５は、テーパー率Ｔ３以下であるのが好ましい。握りやすさの観点から、テーパー率Ｔ５は、テーパー率Ｔ３より小さいのがより好ましい。
【００４４】
上記の様に、本発明では、テーパー率Ｔ１、テーパー率Ｔ２及びテーパー率Ｔ３が、「Ｔ１＞Ｔ２＞Ｔ３」の関係にある。この構成は、握りやすさに寄与する。「Ｔ１＝Ｔ２＞Ｔ３」である場合、基準位置Ｋから位置Ｃまでの部分が過度に太くなりやすく、特に手が小さいゴルファー（女性ゴルファー等）が握りにくい傾向となる。また、「Ｔ１＞Ｔ２＝Ｔ３」である場合、位置Ｂから位置Ｄまでの部分が過度に細く、握りにくい傾向となる。位置Ｂから位置Ｄまでの部分が過度に細い場合、手首を過度に使うスイングがなされやすくなり、ミスショットに繋がる可能性がある。「Ｔ１＞Ｔ２＞Ｔ３」とすることにより、違和感無く且つしっかりと握ることが可能となり、ヘッドスピードが向上しうる。
【００４５】
ゴルフスイングは、利き腕とは逆の手がしっかりと握られるのが好ましいことが知られている。例えば右利きのゴルファーの場合は、左手がしっかりと握られるのが好ましい。本発明のグリップ形状により、ゴルフスイングに適した握りが実現されやすい。また、本発明は、特に非力なゴルファーにとってより好適なグリップ形状を提供する。
【００４６】
基準位置Ｋから位置Ｃまでの部分が過度に太くなることを抑制する観点から、［Ｔ１／Ｔ２］は、４．２５以上が好ましく、４．４０以上がより好ましく、４．５０以上がより好ましい。位置Ｂから位置Ｃまでの部分が過度に細くなることを抑制する観点から、［Ｔ１／Ｔ２］は、６．００以下が好ましく、５．８０以下がより好ましく、５．７０以下がより好ましい。
【００４７】
基準位置Ｋから位置Ａまでの部分の太さと、位置Ｃから位置Ｄまでの部分の太さとが極端に異なる場合、握った際における左右の手の感覚に違和感が生じやすい。この違和感を抑制する観点から、［Ｔ１／Ｔ３］は、７．３０以上が好ましく、７．５０以上がより好ましく、７．７０以上がより好ましい。基準位置Ｋから位置Ａの部分が過度に細くなることを抑制する観点から、［Ｔ１／Ｔ３］は、１８．００以下が好ましく、１７．５０以下がより好ましく、１７．００以下がより好ましい。
【００４８】
握りやすさの観点から、［Ｔ２／Ｔ３］は、１．３０以上が好ましく、１．５０以上がより好ましく、１．７０以上がより好ましい。ゴルフルールに対する適合性を高める観点から、［Ｔ２／Ｔ３］は、４．００以下が好ましく、３．５０以下がより好ましく、３．００以下がより好ましい。
【００４９】
グリップの材質は限定されず、ゴム組成物や樹脂組成物が例示される。このゴム組成物におけるゴムとしては、例えば、天然ゴム（ＮＲ）、エチレンプロピレンジエンゴム（ＥＰＤＭ）、スチレンブタジエンゴム（ＳＢＲ）、イソプレンゴム（ＩＲ）、ブタジエンゴム（ＢＲ）、クロロプレンゴム（ＣＲ）、アクリロニトリルブタジエンゴム（ＮＢＲ）などが用いられうるが、特に天然ゴム、又は天然ゴムに親和性の良いエチレンプロピレンジエンゴムもしくはスチレンブタジエンゴムなどをブレンド（混合）したものが好ましい。
【００５０】
ゴム組成物にはオイルが配合されてもよい。このオイルとしては、例えばアロマチック系オイル、ナフテン系オイル、パラフィン系オイルなどが用いられうる。
【００５１】
グリップのゴム組成物には、上記ゴムと硫黄とオイル以外に、例えば補強剤、充填剤、加硫促進剤、加硫助剤などが必要に応じて適宜配合されてもよい。さらに老化防止剤、加工助剤などが配合されてもよい。
【００５２】
上記補強剤としては、例えば、カーボン、シリカなどが用いられうる。充填剤としては、例えばハードクレー、炭酸カルシウム、炭酸マグネシウム、クレーなどが用いられ、加硫助剤としては、例えば酸化亜鉛とステアリン酸などが用いられる。加硫促進剤は、公知の方法に従い、使用するゴムにあわせて適宜選択されうる。
【００５３】
グリップの材質として、樹脂組成物も用いられうる。この樹脂組成物に含まれる樹脂として、熱可塑性樹脂が挙げられる。この熱可塑性樹脂は、射出成形に用いられうる。この熱可塑性樹脂として、熱可塑性エラストマーが好ましく、ソフトセグメントとハードセグメントとを含む熱可塑性エラストマーがより好ましい。グリップ性と耐摩耗性との両立の観点から、ウレタン系熱可塑性エラストマーがより好ましい。
【００５４】
ゴム１００質量部に対する好ましい配合比率は、補強剤が５〜７０質量部、充填剤が１０〜７０質量部、加硫促進剤が０．１〜３質量部、加硫助剤が１〜１０質量部である。ただし、これらの比率に限定されない。
【００５５】
グリップ８の製法は限定されない。グリップ８は、公知の製法により製造されうる。この製法として、プレス成形と射出成形とが例示される。
【００５６】
プレス成形では、ゴム組成物を金型内に充填し、加圧及び加熱がなされる。加熱温度は、通常、１３０〜２００℃とされるが、これに限定されない。加熱時間は、通常、３〜１５分間とされるが、これに限定されない。
【００５７】
グリップの過度な変形を抑制するとともに、特にドライ時におけるグリップ性を高める観点から、グリップのＪＩＳ−Ａ硬度は、３０以上が好ましく、３５以上がより好ましく、４０以上が特に好ましい。握りのフィーリングが過度に硬くなることを抑制し、ウエット時におけるグリップ性を高める観点から、グリップのＪＩＳ−Ａ硬度は、７０以下が好ましく、６０以下がより好ましく、５０以下が特に好ましい。このＪＩＳ−Ａ硬度は、ＪＩＳ−Ｋ−６２５３の規定に従い測定される。
【００５８】
なお、ゴルフクラブに係る本発明では、上記したグリップ太さ等のグリップ寸法は、ゴルフクラブの状態、即ち、シャフトが挿入された状態において測定される。グリップに係る本発明では、上記したグリップ太さ等のグリップ寸法は、グリップ単体の状態において測定される。シャフトの挿入により、グリップ太さは、シャフト挿入前と比較して、僅かに大きくなる場合がある。テーパー率Ｔ１、テーパー率Ｔ２、テーパー率Ｔ３等のテーパー率は、シャフトの挿入前後において、ほとんど変化しない。
【実施例】
【００５９】
以下、実施例によって本発明の効果が明らかにされるが、この実施例の記載に基づいて本発明が限定的に解釈されるべきではない。
【００６０】
［実施例１］
天然ゴム（ＮＲ）とエチレンプロピレンジエンゴム（ＥＰＤＭ）とを質量比で６５：３５の割合で配合し、更に、硫黄、カーボンブラック及び無機成分を適宜配合して、ゴム組成物を得た。このゴム組成物を、プレス金型に充填し、１５０度の温度で１０分間加圧して、加硫成形されたグリップを得た。テスト用のゴルフクラブには、ＳＲＩスポーツ（株）製の商品名「ＸＸＩＯ」ドライバー（ロフト１０．５度、シャフトＭＰ−５００  シャフト硬さＲ）を用いた。この「ＸＸＩＯ」ドライバーに標準で装着されているグリップを取り外し、上記で作製したグリップを装着して、実施例１に係るゴルフクラブを得た。このゴルフクラブにおいて、グリップの寸法は、下記の表１で示された通りであった。実施例１の仕様と評価結果が下記の表１で示される。
【００６１】
［実施例２から４及び比較例１から３］
グリップの寸法が表１で示されている通りとされた他は実施例１と同様にして、実施例２から４及び比較例１から３に係るゴルフクラブを得た。これらの仕様と評価結果が下記の表１で示される。
【００６２】
［評価方法］
「握りやすさ」、「振りやすさ」、「飛距離」及び「方向性」の４項目で評価がなされた。評価は、１０名のテスターが各クラブを１０球ずつ打球することによりなされた。１０名のテスターのそれぞれは、ドライバーでのヘッドスピードが３５〜４２（ｍ／ｓ）であり、且つ、初級又は中級のゴルファーである。ボールには、ＳＲＩスポーツ（株）製の商品名「ＸＸＩＯ  ＸＤ」が用いられた。このボールは、スリーピースソリッドゴルフボールである。各評価の詳細は、以下の通りとされた。
【００６３】
［握りやすさの評価］
各クラブを握った時及びスイングした時の握りやすさを１点から１０点までの１０段階で官能評価した。全てのテスターの評価点数を平均した平均値が、下記の表１で示される。評価点数が大きいほど、評価が高い。
【００６４】
［振りやすさの評価］
各クラブを握った時及びスイングした時の振りやすさを１点から１０点までの１０段階で官能評価した。全てのテスターの評価点数を平均した平均値が、下記の表１で示される。評価点数が大きいほど、評価が高い。
【００６５】
［飛距離の評価］
各打球の飛距離が計測されて、合計１００個の飛距離データを得た。飛距離は、ボールの最終到達点に基づいて計測された。これらのデータを平均し、この平均値を、実施例２の平均値を１００として指数化した。この指数が下記の表１で示される。この指数が大きいほど、飛距離が大きい。
【００６６】
［方向性の評価］
各打球の方向性ズレが計測されて、合計１００個のデータを得た。方向性ズレは、目標地点と打球地点とを結ぶ線と、ボールの最終到達点の距離である。右にずれても左にずれても、方向性ズレは正の値とされた。これらのデータを平均し、この平均値の逆数を、実施例２の平均値を１００として指数化した。この指数が下記の表１で示される。この指数が大きいほど、方向性がよい。
【００６７】
【表１】
0005209375.tif 000002
【００６８】
表１に示されるように、実施例は、比較例に比べて評価が高い。この評価結果から、本発明の優位性は明らかである。
【産業上の利用可能性】
【００６９】
本発明は、あらゆるゴルフクラブのグリップに適用されうる。
【図面の簡単な説明】
【００７０】
【図１】図１は、本発明の一実施形態に係るゴルフクラブの全体図である。
【図２】図２は、図１のゴルフクラブにおけるグリップ付近の拡大図である。
【符号の説明】
【００７１】
２・・・ゴルフクラブ
４・・・ヘッド
６・・・シャフト
８・・・グリップ
【図１】
0005209375.tif 000003
【図２】
0005209375.tif 000004